(57)【要約】【課題】従来、建物の屋上等に複数の空調室外機が並べて配置され、空調が管理されていた。しかし、空調室外機が有する排気口から排出された空気が、当該空調室外機が有する吸気口及び他の空調室外機が有する吸気口から吸気されてしまうことにより、空調効率が低下してしまう場合があった。【解決手段】吸気口と排気口とを有する空調室外機と、排気口と吸気口との間に配置され、排気口から排出された空気が吸気口から吸気されることを防止する太陽光パネルとを備える空調システムが提供される。【選択図】図１
2015124939.tif 000002
【特許請求の範囲】
【請求項１】
吸気口と排気口とを有する空調室外機と、
前記排気口と前記吸気口との間に配置され、前記排気口から排出された空気が前記吸気口から吸気されることを防止する太陽光パネルと
を備える空調システム。
【請求項２】
前記吸気口は前記空調室外機の側面及び底面の少なくともいずれかに配置され、
前記排気口は前記空調室外機の上面に配置され、
前記空調システムは、
前記太陽光パネルを前記空調室外機の上面と平行に支持するパネル支持部、
をさらに備える、請求項１に記載の空調システム。
【請求項３】
前記パネル支持部は、前記空調室外機と、他の空調室外機との間に配置された架台であり、
前記太陽光パネルは、前記排気口及び前記他の空調室外機の排気口から排出された空気が、前記吸気口から吸気されることを防止する、請求項２に記載の空調システム。
【請求項４】
前記パネル支持部は、前記空調室外機に隣接する一辺で前記太陽光パネルを片持ちする、請求項２又は３に記載の空調システム。
【請求項５】
前記太陽光パネルを支持するパネル支持板と、
前記空調室外機と前記パネル支持板とを連結させるワイヤーと
をさらに備え、
前記パネル支持板の一端が、一の空調室外機の上面又は前記一の空調室外機の側面に取り付けられた支持部材によって支持され、前記パネル支持板の他端が、他の空調室外機の上面、前記他の空調室外機の側面に取り付けられた支持部材、又は支柱によって支持される、請求項１に記載の空調システム。
【請求項６】
前記パネル支持部は、前記太陽光パネルを回動可能に支持し、
前記空調システムは、
前記太陽光パネルが前記空調室外機の上面と平行になる角度以外の角度に回動された場合に、前記排気口からの排気が前記吸気口に吸気されるのを防止する排気遮蔽部材
をさらに備える、請求項２から４のいずれか一項に記載の空調システム。
【請求項７】
前記排気遮蔽部材は、前記太陽光パネルが前記空調室外機の上面と平行になる角度である場合には収縮状態、前記太陽光パネルが前記空調室外機の上面と平行になる角度以外の角度に回動された場合には伸張状態となる蛇腹状である、請求項６に記載の空調システム。
【請求項８】
前記排気遮蔽部材を支持する遮蔽部材支持部
をさらに備え、
前記排気遮蔽部材は、前記遮蔽部材支持部及び前記パネル支持部によって支持される、請求項６又は７に記載の空調システム。
【請求項９】
前記遮蔽部材支持部及び前記パネル支持部の少なくとも一方は、前記排気遮蔽部材及び前記パネル支持部の少なくとも一方に一定以上の力が加わった場合に、前記排気遮蔽部材の支持を解除する、請求項８に記載の空調システム。
【請求項１０】
前記遮蔽部材支持部及び前記パネル支持部の少なくとも一方は、前記排気遮蔽部材を磁力によって支持する、請求項９に記載の空調システム。
【請求項１１】
前記パネル支持部は、支持板及び前記支持板上に設置された支持プレートによって前記太陽光パネルを前記空調室外機の上面と平行に支持し、
前記空調システムは、
前記支持板上で前記支持プレートを回動可能に支持する回動支持部
を有し、
前記太陽光パネルが前記空調室外機の上面と平行になる角度以外の角度に回動された場合に、前記支持板が、前記排気口からの排気が前記吸気口に吸気されるのを防止する、請求項２から４のいずれか一項に記載の空調システム。
【請求項１２】
温度センサと、
前記吸気口の周辺を冷却する吸気口冷却部と、
前記温度センサの出力に応じて、前記吸気口冷却部を駆動させる冷却駆動部と
をさらに備える、請求項１から１１のいずれか一項に記載の空調システム。
【請求項１３】
前記吸気口の周辺を冷却する吸気口冷却部と、
前記吸気口冷却部に前記太陽光パネルによって発電された電力を供給する冷却部電力供給部と
をさらに備える、請求項１から１１のいずれか一項に記載の空調システム。
【請求項１４】
前記吸気口冷却部は、前記吸気口の周辺に空気を送り込むファン、前記吸気口の周辺にミストを提供するミスト提供部、及び前記吸気口の周辺に散水するスプリンクラーの少なくともいずれかである、請求項１２又は１３に記載の空調システム。
【発明の詳細な説明】
【技術分野】
【０００１】
本発明は、空調システムに関する。
【背景技術】
【０００２】
従来、建物の屋上等に複数の空調室外機が並べて配置され、空調室外機の冷却効果により、建物内の空気が冷却調節されていた（例えば、特許文献１参照）。
［先行技術文献］
［特許文献］
［特許文献１］特開平０９−００４７８７号公報
【発明の概要】
【発明が解決しようとする課題】
【０００３】
しかし、空調室外機の排気口から排出された空気が、当該空調室外機の吸気口及び他の空調室外機の吸気口から吸気されてしまうことにより、空調効率が低下してしまう場合があった。
【課題を解決するための手段】
【０００４】
本発明の第１の態様によれば、吸気口と排気口とを有する空調室外機と、排気口と吸気口との間に配置され、排気口から排出された空気が吸気口から吸気されることを防止する太陽光パネルとを備える空調システムが提供される。
【０００５】
上記空調システムにおいて、吸気口は空調室外機の側面及び底面の少なくともいずれかに配置されてよく、排気口は空調室外機の上面に配置されてよく、上記空調システムは、太陽光パネルを空調室外機の上面と平行に支持するパネル支持部をさらに備えてよい。上記空調システムにおいて、パネル支持部は、空調室外機と、他の空調室外機との間に配置された架台であってよく、太陽光パネルは、排気口及び他の空調室外機の排気口から排出された空気が、吸気口から吸気されることを防止してよい。上記空調システムにおいて、パネル支持部は、空調室外機に隣接する一辺で太陽光パネルを片持ちしてよい。
【０００６】
上記空調システムは、太陽光パネルを支持するパネル支持板と、空調室外機とパネル支持板とを連結させるワイヤとをさらに備えてよく、パネル支持板の一端は、一の空調室外機の上面又は一の空調室外機の側面に取り付けられた支持部材によって支持されてよく、パネル支持板の他端は、他の空調室外機の上面、他の空調室外機の側面に取り付けられた支持部材、又は支柱によって支持されてよい。上記空調システムにおいて、パネル支持部は、太陽光パネルを回動可能に支持してよく、上記空調システムは、太陽光パネルが空調室外機の上面と平行になる角度以外の角度に回動された場合に、排気口からの排気が吸気口に吸気されるのを防止する排気遮蔽部材をさらに備えてよい。上記空調システムにおいて、排気遮蔽部材は、太陽光パネルが空調室外機の上面と平行になる角度である場合には収縮状態、太陽光パネルが空調室外機の上面と平行になる角度以外の角度に回動された場合には伸張状態となる蛇腹状であってよい。
【０００７】
上記空調システムは、排気遮蔽部材を支持する遮蔽部材支持部をさらに備えてよく、排気遮蔽部材は、遮蔽部材支持部及びパネル支持部によって支持されてよい。上記空調システムにおいて、遮蔽部材支持部及びパネル支持部の少なくとも一方は、排気遮蔽部材及びパネル支持部の少なくとも一方に一定以上の力が加わった場合に、排気遮蔽部材の支持を解除してよい。上記空調システムにおいて、遮蔽部材支持部及びパネル支持部の少なくとも一方は、排気遮蔽部材を磁力によって支持してよい。上記空調システムにおいて、支持部は、支持プレートによって太陽光パネルを空調室外機の上面と平行に支持してよく、上記空調システムは、支持板上で支持プレートを回動可能に支持する回動支持部を有してよく、太陽光パネルが空調室外機の上面と平行になる角度以外の角度に回動された場合に、支持板が、排気口からの排気が吸気口に吸気されるのを防止してよい。
【０００８】
上記空調システムは、温度センサと、吸気口の周辺を冷却する吸気口冷却部と、温度センサの出力に応じて、吸気口冷却部を駆動させる冷却駆動部とをさらに備えてよい。上記空調システムは、吸気口の周辺を冷却する吸気口冷却部と、吸気口冷却部に太陽光パネルによって発電された電力を供給する冷却部電力供給部とをさらに備えてよい。上記空調システムにおいて、吸気口冷却部は、吸気口の周辺に空気を送り込むファン、吸気口の周辺にミストを提供するミスト提供部、吸気口の周辺に散水するスプリンクラーの少なくともいずれかであってよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】本実施形態に係る空調システムの一例を概略的に示す。
【図２】本実施形態に係る空調システムの他の一例を概略的に示す。
【図３】複数の空調室外機、及びそれぞれが太陽光パネルを支持する複数の架台の配置例を概略的に示す。
【図４】空調室外機及び、太陽光パネルを有する太陽光発電装置の機能構成の一例を概略的に示す。
【図５】空調システムの他の一例を概略的に示す。
【図６】空調システムの他の一例を概略的に示す。
【図７】空調システムの他の一例を概略的に示す。
【図８】架台の一例を概略的に示す。
【図９】排気遮蔽部材の一例を概略的に示す。
【図１０】空調システムが備える吸気冷却システムの一例を概略的に示す。
【図１１】空調システムが備える換気システムの一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、本実施形態に係る空調システム１００の一例を概略的に示す。空調システム１００は、空調室外機２００、太陽光パネル３０２、及び架台４００を備える。
【００１３】
空調室外機２００は、不図示の空調室内機との間で熱を交換する。空調室外機２００及び空調室内機が熱を交換することにより、空調室内機が配置された室内の温度が調節される。本実施形態では、空調室外機２００及び空調室内機によって、室内の冷房が実現される場合について主に説明するが、暖房が実現されてもよい。
【００１４】
空調室外機２００は、吸気口２１４及び排気口２１６を有する。吸気口２１４は、筐体２０２の底面２０４に配置されている。なお、ここでは、吸気口２１４が底面２０４のみに配置された場合を例示しているが、これに限らず、吸気口２１４は、筐体２０２の４つの側面２０８の少なくとも何れかに配置されてもよい。また、吸気口２１４は、筐体２０２の４つの側面２０８の少なくとも何れかと、筐体２０２の底面２０４とに配置されてもよい。
【００１５】
排気口２１６は、筐体２０２の上面２０６に配置されている。また、空調室外機２００は、排気ファン２１７を有する。排気ファン２１７が駆動することによって、吸気口２１４から空気が吸気され、排気口２１６から空気が排出される。
【００１６】
図１に示すように、排気口２１６から排出された高温空気は、排気流３０となる。吸気口２１４が吸気する空気の流れを示す吸気流２０に、排気流３０が合流すると、排気口２１６から排出された高温空気が吸気口２１４から吸気されることになり、空調効率が低下してしまう。そこで、本実施形態に係る空調システム１００は、排気口２１６から排出された高温空気が吸気口２１４から吸気されることを防止するべく、排気口２１６と吸気口２１４との間に配置された太陽光パネル３０２を備える。
【００１７】
また、日光が吸気口２１４の周辺に到達した場合、吸気口２１４の周辺温度が高温になり、空調効率が低下してしまう。そこで、本実施形態に係る空調システム１００は、排気口２１６から排出された高温空気が吸気口２１４から吸気されることを防止するとともに、日光が吸気口２１４の周辺に到達することを防止するべく、排気口２１６と吸気口２１４との間、かつ、吸気口２１４の周辺への日光を遮蔽する位置に配置された太陽光パネル３０２を備えてよい。
【００１８】
太陽光パネル３０２は、例えば、図１に示すように、架台４００によって支持される。架台４００によって支持された太陽光パネル３０２は、排気口２１６と吸気口２１４との間に配置される。排気口２１６と吸気口２１４との間とは、太陽光パネル３０２が配置されていない場合に、排気口２１６から排出された空気が吸気口２１４に吸気されるまでの経路上であってよい。太陽光パネル３０２によって、排気口２１６が排出した空気が吸気口２１４から吸気されることを防止できる。
【００１９】
架台４００は、支持板４０２及び脚部４０４を有する。支持板４０２は、太陽光パネル３０２を支持する。脚部４０４は、支持板４０２を支持する。脚部４０４は、４つの脚によって、支持板４０２を支持してよい。また、脚部４０４は、４つの脚のうちの２つの脚によって、支持板４０２の一辺を片持ちしてよい。これにより、例えば、地震の発生等によって４つの脚が振動した場合に、対向する２組の脚に異なる方向の力が加わることによって発生する圧力によって、太陽光パネル３０２が損傷してしまうことを防止できる。なお、脚部４０４は、１つの脚によって支持板４０２を支持してもよい。例えば、脚部４０４は、１つの脚によって、支持板４０２の中心付近を支持する。
【００２０】
支持板４０２は、太陽光パネル３０２を、空調室外機２００の上面２０６と平行に支持してよい。支持板４０２は、排気口２１６からの排気流３０が、支持板４０２と空調室外機２００との間を通過しないように、又は、通過する量を低減させるように配置されてよい。例えば、支持板４０２は、２つの空調室外機２００の間に配置され、２つの空調室外機２００の距離と略同じ長さを有し、空調室外機２００の上面２０６と略同じ高さに配置される。これにより、支持板４０２と空調室外機２００との間を排気流３０が通過して、吸気口２１４から吸気されてしまうことを防止できる。
【００２１】
なお、２つの空調室外機２００の距離と略同じ長さとは、２つ空調室外機２００の間に支持板４０２が配置できる程度に、２つの空調室外機２００の距離よりも短い長さであってよい。また、空調室外機２００の上面２０６と略同じ高さとは、支持板４０２の底面が、上面２０６よりも上側に位置しない高さであってよい。支持板４０２が、空調室外機２００の上面２０６と略同じ高さに配置されることによって、排気流３０が吸気口２１４から吸気されることを防止できるとともに、太陽１０から太陽光パネル３０２への日射が空調室外機２００によって遮られてしまうことを防止できる。
【００２２】
太陽光パネル３０２によって発電された電力は、空調室外機２００に供給されてよい。例えば、太陽光パネル３０２によって発電された電力は、排気ファン２１７を駆動させる駆動部に供給される。これにより、空調効率を向上させることができる。また、太陽光パネル３０２によって発電された電力は、空調システム１００が設置された建物等に供給されてもよい。
【００２３】
図１では、太陽光パネル３０２が架台４００によって支持される場合について例示したが、これに限らない。太陽光パネル３０２は、空調室外機２００によって支持されてもよい。例えば、太陽光パネル３０２は、空調室外機２００の上面２０６又は側面２０８に設置された支持部材によって支持される。太陽光パネル３０２は、空調室外機２００によって直接支持されてよく、また、支持プレート等を介して支持されてもよい。
【００２４】
太陽光パネル３０２は、２つの空調室外機２００の間に配置される場合であっても、２つの空調室外機２００の両方によって支持されるのではなく、一方の空調室外機２００によって片持ちされてよい。これにより、例えば、地震発生等によって２つの空調室外機２００が振動した場合に、２つの空調室外機２００の両方から加わる圧力によって、太陽光パネル３０２が損傷してしまうことを防止できる。
【００２５】
図２は、空調システム１００の他の一例を概略的に示す。ここでは、図１に示す空調システム１００とは異なる点を主に説明する。図２に示す空調システム１００は、空調室外機２００、太陽光パネル３０２、及び架台４００に加えて、温度センサ２２２及びミスト供給部２３０を備える。また、図２に示す空調室外機２００は、吸気口２１４、排気口２１６、及び排気ファン２１７に加えて、給気ファン２１９を有する。
【００２６】
給気ファン２１９は、吸気口２１４の周辺に空気を給気する。給気ファン２１９は、吸気口冷却部の一例であってよい。
【００２７】
ミスト供給部２３０は、吸気口２１４の周辺にミストを供給する。ミスト供給部２３０は、例えば、ドライミスト（登録商標）である。ミスト供給部２３０は、配管２３２及びノズル２３４を有する。ミスト供給部２３０は、配管２３２に供給された水を用いて、ノズル２３４からミストを供給する。ミスト供給部２３０は、吸気口冷却部の一例であってよい。
【００２８】
なお、図２では、空調室外機２００の下方及び支持板４０２の下方に配管２３２及びノズル２３４が配置された場合を例示しているが、これに限らない。結果的に吸気口２１４の周辺が冷却されれば、他の形態であってもよい。例えば、ミスト供給部２３０は、空調室外機２００の下方に対して任意の位置からミストを供給してもよい。また、ミスト供給部２３０は、支持板４０２の下方に対して任意の位置からミストを供給してもよい。また、ミスト供給部２３０は、空調室外機２００の上方から、空調室外機２００の全体に向けてミストを供給してもよい。
【００２９】
温度センサ２２２は、空調室外機２００の周辺の温度を測定する。温度センサ２２２は、例えば、吸気口２１４の周辺の温度を測定する。空調システム１００は、温度センサ２２２の出力に基づいて、給気ファン２１９及びミスト供給部２３０の少なくとも一方を駆動させてよい。
【００３０】
例えば、空調システム１００は、温度センサ２２２の出力値が予め定められた閾値を超えた場合に、給気ファン２１９及びミスト供給部２３０の少なくとも一方を駆動させる。これにより、空調室外機２００の周辺の温度が、閾値よりも上昇したときのみ、給気ファン２１９及びミスト供給部２３０の少なくとも一方を駆動させることができる。なお、空調システム１００は、給気ファン２１９及びミスト供給部２３０の少なくとも一方を駆動させた結果、温度センサ２２２の出力値が予め定められた閾値よりも小さくなった場合に、駆動を停止させるように給気ファン２１９及びミスト供給部２３０を制御してもよい。
【００３１】
給気ファン２１９を駆動させる場合、空調システム１００は、太陽光パネル３０２によって発電された電力を用いてよい。また、ミスト供給部２３０を駆動させる場合、空調システム１００は、太陽光パネル３０２によって発電された電力を用いてよい。
【００３２】
なお、ここでは、吸気口冷却部の一例として、給気ファン２１９及びミスト供給部２３０を挙げて説明したが、これに限らない。吸気口冷却部は、吸気口２１４の周辺に散水するスプリンクラーであってもよい。
【００３３】
図３は、複数の空調室外機２００、及びそれぞれが太陽光パネル３０２を支持する複数の架台４００の配置例を概略的に示す。図３では、６つの空調室外機２００と６つの架台４００とが配置された例を示すが、配置される数は任意であってよい。図３に示すように、複数の架台４００のそれぞれは、並列された複数の空調室外機２００の間に配置されてよい。これにより、複数の架台４００によって支持される太陽光パネル３０２は、複数の空調室外機２００の排気口２１６から排出された空気が、複数の空調室外機２００の吸気口２１４から吸気されることを防止できる。また、太陽光パネル３０２は、複数の空調室外機２００のそれぞれが有する吸気口２１４の周辺に日光が到達することを防止できる。
【００３４】
図３に示すように、並列された複数の架台４００の端部に配置された架台４００は、側面部材４０８を有してよい。複数の架台４００の端部に配置された架台４００が側面部材４０８を有することによって、空調室外機２００の排気口２１６から排出された空気が、架台４００の側面の方向から流入して空調室外機２００の吸気口２１４によって吸気されてしまうことを防止できる。
【００３５】
なお、図３に示す配置は例示であり、複数の空調室外機２００及び複数の架台４００は、空調室外機２００の排気口２１６から排出される空気が吸気口２１４から吸気されるのを防止できる配置であれば、他の配置であってもよい。
【００３６】
図３に示す複数の空調室外機２００及び複数の架台４００は、例えば、データセンター及びオフィスビル等の建物の屋上に配置される。データセンター及びオフィスビル等の屋上には、空調設備及び発電設備などの様々な設備が設置されている場合が多い。そのため、ため、太陽光パネル３０２を設置できるスペースが少ない。これに対して、本実施形態に係る空調システム１００によれば、太陽光パネル３０２が、排気口２１６から排出された空気が吸気口２１４から吸気されることを防止する役割と、日光が吸気口２１４の周辺に到達することを防止する役割と、発電する役割とを果たす。これにより、本実施形態に係る空調システム１００によれば、効率的に太陽光パネル３０２の設置スペースを確保できる。
【００３７】
図４は、空調室外機２００と、太陽光パネル３０２を有する太陽光発電装置３００と、空調室外機２００及び太陽光発電装置３００が設置された建物が備える電気設備６００の機能構成の一例を概略的に示す。空調室外機２００は、熱交換部２１０、電力供給部２１２、電源接続部２１３、排気ファン２１７、温度センサ２２２、排気ファン駆動部２２７、給気ファン駆動部２２９、ミスト供給部２３０、及びミスト駆動部２３６を有する。
【００３８】
熱交換部２１０は、冷媒の循環及び冷媒からの熱の放出を行う。電力供給部２１２は、熱交換部２１０に電力を供給する。電力供給部２１２は、電源接続部２１３に接続された、電気設備６００が有する電力供給部６０４から電力を受給して、熱交換部２１０に供給してよい。
【００３９】
排気ファン２１７は、吸気口２１４から空気を吸気して、排気口２１６から空気を排出させる。熱交換部２１０によって温められた空気は、排気口２１６から排出される。排気ファン駆動部２２７は、電力供給部２１２から供給された電力を用いて、排気ファン２１７を駆動させる。
【００４０】
給気ファン２１９は、吸気口２１４に対して、空気を給気する。給気ファン駆動部２２９は、電力供給部２１２から供給された電力を用いて、給気ファン２１９を駆動させる。給気ファン駆動部２２９は、冷却駆動部の一例であってよい。
【００４１】
ミスト供給部２３０は、吸気口２１４の周辺にミストを供給する。ミスト駆動部２３６は、電力供給部２１２から供給された電力を用いて、ミスト供給部２３０を駆動させる。ミスト駆動部２３６は、冷却駆動部の一例であってよい。
【００４２】
温度センサ２２２は、継続的に温度を測定する。そして、温度センサ２２２は、測定温度が予め定められた閾値を超えた場合に、給気ファン駆動部２２９に、給気ファン２１９を駆動させる。また、温度センサ２２２は、測定温度が予め定められた閾値を超えた場合に、ミスト駆動部２３６に、ミスト供給部２３０を駆動させる。
【００４３】
太陽光発電装置３００は、太陽光パネル３０２、発電部３０４、蓄電部３０６、及び電力供給部３０８を有する。発電部３０４は、太陽光パネル３０２を用いて発電する。
【００４４】
蓄電部３０６は、発電部３０４が発電した電力を蓄電する。電力供給部３０８は、空調室外機２００が備える電力供給部２１２及び電気設備６００が有する電力受給部６０２の少なくともいずれかに対して電力を供給してよい。電力供給部３０８は、蓄電部３０６に蓄電された電力を電力供給部２１２及び電力受給部６０２の少なくともいずれかに供給してよい。また、電力供給部３０８は、発電部３０４によって発電された電力を電力供給部３０８から直接受給して、電力供給部２１２及び電力受給部６０２の少なくともいずれかに供給してよい。
【００４５】
電力供給部２１２は、電力供給部３０８から受給した電力を、熱交換部２１０、排気ファン駆動部２２７、給気ファン駆動部２２９、及びミスト駆動部２３６に供給してよい。これにより、太陽光パネルによって発電された電力により、空調の効率を向上させることができる。なお、電力供給部３０８は、電力供給部２１２を介さずに、熱交換部２１０、排気ファン駆動部２２７、給気ファン駆動部２２９、及びミスト駆動部２３６に電力を供給してもよい。電力供給部３０８は、冷却部電力供給部の一例であってよい。
【００４６】
なお、ここでは、発電部３０４が発電した電力を、電力供給部３０８が電力供給部２１２及び電力受給部６０２の少なくともいずれかに対して供給する例を挙げて説明したが、これに限らない。発電部３０４が発電した電力を電力会社に売電してもよい。例えば、太陽光発電装置３００に接続されたスマートメータを利用して、発電部３０４によって発電された電力が売電される。
【００４７】
図５は、空調システム１００の他の一例を概略的に示す。ここでは、図１に示す空調システム１００と異なる点について主に説明する。図５に示す架台４００は、可動部４０６、排気遮蔽部材収納部４１０及び排気遮蔽部材４２０を有する。
【００４８】
可動部４０６は、支持板４０２を介して太陽光パネル３０２を回動可能に支持する。支持板４０２及び可動部４０６は、太陽光パネル３０２を回動可能に支持するパネル支持部の一例であってよい。可動部４０６は、太陽光パネル３０２が空調室外機２００の上面２０６と平行になる角度から、上側に向けて太陽光パネル３０２を回動させてよい。例えば、可動部４０６によって、太陽光パネル３０２が、太陽１０に向かうように回動されることによって、太陽光パネル３０２による発電の効率を向上できる。
【００４９】
排気遮蔽部材収納部４１０は、排気遮蔽部材４２０を収納する。排気遮蔽部材４２０は、太陽光パネル３０２が空調室外機２００の上面２０６と平行になる角度以外の角度に回動された場合に、排気口２１６からの排気が吸気口２１４に吸気されるのを防止する。
【００５０】
排気遮蔽部材収納部４１０は、例えば、ロールカーテンと同様に排気遮蔽部材４２０を収納する。排気遮蔽部材４２０は、布状の部材であってよい。排気遮蔽部材４２０の材質は、耐久性、防汚性、及び柔軟性を有する材質であることが望ましい。排気遮蔽部材４２０は、例えば、ポリエチレン製シートによって構成される。
【００５１】
排気遮蔽部材４２０は、例えば、一端が排気遮蔽部材収納部４１０に固定され、他端が支持板４０２に固定される。可動部４０６により支持板４０２が回動されることによって、排気遮蔽部材４２０が排気遮蔽部材収納部４１０から引き出される。排気遮蔽部材４２０が引き出されることにより、排気遮蔽部材４２０によって、排気口２１６から排出された空気が吸気口２１４に吸気されることが防止される。
【００５２】
排気遮蔽部材４２０は、例えば、支持板４０２に設けられた引掛け部材に固定可能である。この場合、排気遮蔽部材収納部４１０が排気遮蔽部材４２０の一端を支持し、支持板４０２に設けられた引掛け部材が排気遮蔽部材４２０の他端を支持する。
【００５３】
また、排気遮蔽部材４２０は、先端にフックが取り付けられていてよく、支持板４０２に取り付けられた留め具と、当該フックとによって、排気遮蔽部材４２０が支持板４０２に固定されてもよい。また、排気遮蔽部材４２０の先端に留め具が取り付けられ、支持板４０２にフックが取り付けられていてもよい。
【００５４】
支持板４０２は、排気遮蔽部材４２０及び支持板４０２の少なくとも一方に一定以上の力が加わった場合に、排気遮蔽部材４２０の支持を解除するように、排気遮蔽部材４２０を支持してよい。一定以上の力とは、例えば、強風等によって支持板４０２及び排気遮蔽部材４２０の少なくとも一方に加わることにより、支持板４０２及び排気遮蔽部材４２０の少なくとも一方が破損してしまう力である。支持板４０２は、支持板４０２が回動されることによって排気遮蔽部材４２０が排気遮蔽部材収納部４１０から引き出されるときには排気遮蔽部材４２０の支持を解除せず、一定以上の力が加わった場合に、排気遮蔽部材４２０の支持を解除するように、排気遮蔽部材４２０を支持してよい。
【００５５】
支持板４０２は、例えば、磁力によって排気遮蔽部材４２０を支持する。具体的には、排気遮蔽部材４２０の先端及び支持板４０２の少なくとも一方にマグネットが取り付けられ、他方に磁性体が取り付けられることにより、排気遮蔽部材４２０が支持板４０２に磁力で固定されてよい。排気遮蔽部材４２０が磁力によって支持板４０２に固定されることにより、例えば強風などで支持板４０２に力が加わったときに、磁力による固定が解除されることによって、太陽光パネル３０２及び架台４００等が破損してしまうことを防止できる。
【００５６】
なお、ここでは、一例として支持板４０２が磁力によって排気遮蔽部材４２０を支持する場合を例に挙げて説明したが、これに限らない。排気遮蔽部材４２０及び支持板４０２の少なくとも一方に一定以上の力が加わった場合に、排気遮蔽部材４２０の支持が解除されれば、支持板４０２は、他の機構によって排気遮蔽部材４２０を支持してもよい。例えば、支持板４０２は、吸盤等によって排気遮蔽部材４２０を支持する。
【００５７】
図５では、排気遮蔽部材収納部４１０が脚部４０４に配置された場合を例示しているが、これに限らず、排気遮蔽部材収納部４１０は支持板４０２に配置されてもよい。この場合、排気遮蔽部材４２０は、支持板４０２に配置された排気遮蔽部材収納部４１０から引き出されて、脚部４０４に固定されてよい。また、この場合、脚部４０４は、排気遮蔽部材４２０及び支持板４０２の少なくとも一方に一定以上の力が加わった場合に、排気遮蔽部材４２０の支持を解除するように、排気遮蔽部材４２０を支持してよい。
【００５８】
また、ここでは、排気遮蔽部材収納部４１０がロールカーテンと同様に排気遮蔽部材４２０を収納する例を挙げて説明したが、これに限らない。排気遮蔽部材収納部４１０は、蛇腹状の排気遮蔽部材４２０を収納する収納スペースを有することによって、排気遮蔽部材４２０を収納してよい。蛇腹状の排気遮蔽部材４２０は、太陽光パネル３０２が空調室外機２００の上面２０６と平行になる角度である場合には収縮状態、太陽光パネル３０２が空調室外機２００の上面２０６と平行になる角度以外の角度に回動された場合には伸張状態となる蛇腹状であってよい。蛇腹状の排気遮蔽部材４２０と支持板４０２との固定は、フックと留め具の組み合わせによる固定であってよく、また、磁力による固定であってもよい。
【００５９】
図６は、空調システム１００の他の一例を概略的に示す。ここでは、図１に示す空調システム１００と異なる点について主に説明する。図６に示す太陽光パネル３０２は、支持板４２１によって支持される。支持板４２１は、支柱４０５と、空調室外機２００とによって支持される。図６に示す例では、支持板４２１の一端４２２が２つの脚を有する支柱４０５によって支持され、支持板４２１の他端４２３が一の空調室外機２００によって支持されている。一の空調室外機２００によって支持される支持板４２１の他端４２３と、一の空調室外機２００とは、ワイヤー４２４及びワイヤー固定具４２５によっ連結される。
【００６０】
ワイヤー固定具４２５は、例えば、支持板４２１の他端４２３に配置される。また、ワイヤー固定具４２５は、一の空調室外機２００の上面２０６上の、支持板４２１上に配置されたワイヤー固定具４２５に対応する位置に配置されてよい。支持板４２１の他端４２３に配置されたワイヤー固定具４２５と、それぞれに対応する位置に配置された上面２０６上のワイヤー固定具４２５とがワイヤー４２４によって連結される。これにより、支持板４２１の他端４２３が、例えば地震等の影響によって、一の空調室外機２００の上面２０６からずれてしまうようなことがあっても、支持板４２１が落下してしまうことを防止できる。
【００６１】
なお、図６では、支持板４２１の一端４２２を脚部４０４が支持し、支持板４２１の他端４２３を空調室外機２００及びワイヤー４２４が支持する例を挙げて説明したが、これに限らない。支持板４２１の一端４２２を、一の空調室外機２００と一の空調室外機２００に設置されたワイヤー固定具４２５及びワイヤー４２４とによって支持し、支持板４２１の他端４２３を他の空調室外機２００と他の空調室外機２００に設置されたワイヤー固定具４２５及びワイヤー４２４とによって支持してもよい。
【００６２】
また、図６では、支持板４２１の他端４２３を、空調室外機２００の上面２０６で支持する場合を例に挙げて説明したが、これに限らない。支持板４２１の他端４２３を、空調室外機２００の側面２０８に取り付けられた支持部材によって支持してもよい。支持部材は、例えば、空調室外機２００の側面２０８にねじ止めされる。また、支持板４２１の一端４２２を、一の空調室外機２００の側面２０８に取り付けられた支持部材が支持し、支持板４２１の他端４２３を、他の空調室外機２００の側面２０８に取り付けられた支持部材が支持してもよい。
【００６３】
図７は、空調システム１００の他の一例を概略的に示す。ここでは、図１に示す空調システム１００と異なる点について主に説明する。図７に示す太陽光パネル３０２は、支持板４０２上に設置された可動部２５０及び支持プレート２５２によって支持される。可動部２５０は、支持プレート２５２を介して、太陽光パネル３０２を回動可能に支持する。支持プレート２５２は、パネル支持部の一例であってよい。可動部２５０は、支持板４０２上で太陽光パネル３０２を回動可能に支持する回動支持部の一例であってよい。
【００６４】
可動部２５０は、太陽光パネル３０２が空調室外機２００の上面２０６と平行になる角度から、上側に向けて太陽光パネル３０２を回動させてよい。例えば、可動部２５０によって、太陽光パネル３０２が、太陽１０に向かうように回動されることによって、太陽光パネル３０２による発電の効率を向上できる。
【００６５】
可動部２５０によって太陽光パネル３０２が、空調室外機２００の上面２０６と平行になる角度以外の角度に回動された場合、支持板４０２が、排気口２１６から排出される空気が吸気口２１４に給気されるのを防止する。
【００６６】
図８は、架台４００の一例を概略的に示す。架台４００は、太陽光パネル３０２を支持する支持板４０２と、支持板４０２を支持する脚部４０４と、脚部４０４を支持する土台４０９とを有する。脚部４０４は、支持板４０２を支持する２つの脚４１２と、支持板４０２をスライド可能に支持する２つの脚４１４とを有する。
【００６７】
脚４１２は、伸縮部４３０及び固定部４４０を有する。伸縮部４３０は、筒状の固定部４４０に内包されて、上下方向に移動可能である。すなわち、脚４１２は、伸縮部４３０が上下方向に移動することによって伸縮する。伸縮部４３０の先端には、ヒンジ機構４３２と、支持板４０２を支持する支持機構４３３とが設けられている。
【００６８】
脚４１４は、伸縮部４３０及び固定部４４０を有する。伸縮部４３０は、筒状の固定部４４０に内包されて、上下方向に移動可能である。すなわち、脚４１４は、伸縮部４３０が上下方向に移動することによって伸縮する。伸縮部４３０の先端には、ヒンジ機構４３２と、支持板４０２を支持する支持機構４３４とが設けられている。
【００６９】
脚４１４が有する支持機構４３４は、支持板４０２をスライド可能に支持する。脚４１４は、脚４１４と脚４１２とをつなぐ直線方向に対して、支持板４０２をスライド可能に支持してよい。脚４１２が有する支持機構４３３は、支持板４０２を固定して支持する。支持機構４３３が支持板４０２を固定して支持し、支持機構４３４が支持板４０２をスライド可能に支持することによって、脚４１２と脚４１４とは、支持板４０２を回動可能に支持する。
【００７０】
固定部４４０は、伸縮機構４４２及びスプリング４４４を有する。伸縮機構４４２は、伸縮部４３０を上下方向に移動可能に保持する。スプリング４４４は、固定部４４０の底部に設けられ、伸縮部４３０を支持する。スプリング４４４によって、脚部４０４の上方向への移動が補助される。
【００７１】
図９は、排気遮蔽部材４２０の一例を概略的に示す。図９に示す排気遮蔽部材４２０は、複数の穴部４２６を有する。また、支持板４０２は、複数の穴部４２６に対応する位置に複数の穴部４５２を有する。複数の穴部４２６及び複数の穴部４５２には、リング４５４が通されており、排気遮蔽部材４２０は、リング４５４によって、支持板４０２に固定される。穴部４２６、穴部４５２、及びリング４５４には、可動余地があってよく、これにより、支持板４０２の角度調整、支持板４０２の上下動、及び支持板４０２の振動等に追従できる。
【００７２】
排気遮蔽部材４２０の先端には、マグネット４２８が設けられる。排気遮蔽部材４２０は、マグネット４２８によって、例えば、空調室外機２００の筐体２０２に固定される。排気遮蔽部材４２０がマグネット４２８によって筐体２０２に固定されることにより、固定する位置を自由に調整することができる。
【００７３】
図９では、排気遮蔽部材４２０の先端にマグネット４２８が設けられた場合を例に挙げて説明したが、これに限らない。排気遮蔽部材４２０及び支持板４０２の少なくとも一方に一定以上の力が加わった場合に、排気遮蔽部材４２０の支持が解除されるような部材であれば、他の部材が設けられてもよい。なお、排気遮蔽部材４２０の先端に設けられる部材は、排気遮蔽部材４２０及び支持板４０２の少なくとも一方に一定以上の力が加わった場合に、排気遮蔽部材４２０の支持が解除されるような部材であることは必須ではなく、排気遮蔽部材４２０が空調室外機２００に対して固定されるのであれば、他の部材であってもよい。
【００７４】
図１０は、空調システム１００が備える吸気冷却システム５００の一例を概略的に示す。吸気冷却システム５００は、空調室外機２００の吸気口２１４に吸気される空気を冷却する。吸気冷却システム５００は、冷却用プレート５０２、冷媒用パイプ５０４、冷媒用ポンプ５０６、熱交換器５０８、井戸水用パイプ５１０、井戸水用ポンプ５１２、採水用井戸５１４、及び還水用井戸５１６を有する。
【００７５】
冷却用プレート５０２は、吸気口２１４に吸気される空気を冷却する。冷却用プレート５０２は、例えば、複数の空調室外機２００を支持する室外機台４８０の近傍に設置される。冷媒用パイプ５０４及び冷媒用ポンプ５０６は、冷却用プレート５０２と熱交換器５０８との間で、冷媒を循環させる。冷媒用パイプ５０４及び冷媒用ポンプ５０６は、冷媒循環部の一例であってよい。
【００７６】
井戸水用パイプ５１０及び井戸水用ポンプ５１２は、採水用井戸５１４、熱交換器５０８、及び還水用井戸５１６の間で井戸水を循環させる。井戸水用パイプ５１０及び井戸水用ポンプ５１２は、井戸水循環部の一例であってよい。熱交換器５０８は、井戸水用パイプ５１０及び井戸水用ポンプ５１２によって循環される井戸水によって、冷媒用パイプ５０４及び冷媒用ポンプ５０６によって循環される冷媒を冷却する。
【００７７】
太陽光パネル３０２によって発電された電力は、電力供給部３０８によって、電力線５１８を介して冷媒用ポンプ５０６及び井戸水用ポンプ５１２に供給されてよい。冷媒用ポンプ５０６は、電力線５１８を介して供給された電力を用いて、冷媒を循環させてよい。井戸水用ポンプ５１２は、電力線５１８によって供給された電力を用いて、井戸水を循環させてよい。これにより、空調システム１００による空調の効率を向上させることができる。電力供給部３０８は、循環部電力供給部の一例であってよい。なお、図１０では、太陽光パネル３０２によって発電された電力が、冷媒用ポンプ５０６及び井戸水用ポンプ５１２に供給される場合を例示しているが、太陽光パネル３０２によって発電された電力は、冷媒用ポンプ５０６及び井戸水用ポンプ５１２のいずれか一方に供給されてもよい。
【００７８】
また、ここでは、井戸水及び冷媒を用いて、吸気口２１４に吸気される空気を冷却する例を挙げて説明したが、これに限らない。井戸水を直接冷却用プレート５０２に循環させてもよい。また、井戸水用ポンプ５１２によって汲み上げた井戸水を、吸気口２１４の周辺にミストとして散布することにより、吸気口２１４に吸気される空気を冷却してもよい。
【００７９】
図１１は、空調システム１００が備える換気システム５２０の一例を概略的に示す。換気システム５２０は、空調室内機２８０が設置された室内の空気を換気する。空調室内機２８０は、例えば、複数の機器６１２が設置された機器室６１０に設置される。機器室６１０は、例えば、データセンター及びオフィスビル等が有する部屋である。
【００８０】
換気システム５２０は、吸気口５２２、排気口５２４、換気用ポンプ５２６、及び換気用パイプ５２８を有する。吸気口５２２は、機器室６１０の室内に配置される。排気口５２４は、吸気口２１４の付近に配置される。換気用ポンプ５２６及び換気用パイプ５２８は、機器室６１０の室内の空気を、吸気口５２２及び排気口５２４を介して、吸気口２１４の付近に排出させる。これにより、機器室６１０を換気できるとともに、換気によって排出される、空調室内機２８０によって冷却された空気により、吸気口２１４に吸気される空気を冷却できる。
【００８１】
太陽光パネル３０２によって発電された電力は、電力供給部３０８によって、電力線５３０を介して換気用ポンプ５２６に供給されてよい。換気用ポンプ５２６は、電力線５３０を介して供給された電力を用いて、機器室６１０の室内の空気を排気口５２４から排出してよい。換気用ポンプ５２６は、換気部の一例であってよい。電力供給部３０８は、換気部電力供給部の一例であってよい。換気システム５２０によって、空調システム１００による空調の効率を向上させることができる。
【００８２】
上記実施形態では、太陽光パネル３０２が、架台４００又は空調室外機２００によって、手動で回動可能に支持される例を挙げて説明した。複数の太陽光パネル３０２、架台４００、及び空調室外機２００が並列される場合、太陽光パネル３０２は、個別に手動で回動可能に支持されてよい。また、複数の太陽光パネル３０２、架台４００、及び空調室外機２００が並列される場合、複数の太陽光パネル３０２は、まとめて手動で回動可能に支持されてもよい。例えば、図５に示した可動部４０６のような、太陽光パネル３０２を回動させる回動機構を複数連結させて、まとめて回動できるようにする。具体的には、複数連結させた回動機構を、ハンドルを回すことによってまとめて回動できるように構成してよい。また、太陽光パネル３０２は、自動で回動されてもよい。例えば、太陽光パネル３０２は、予め定められたスケジュールに従って、太陽の方向を向くように自動で回動されてよい。また、太陽光パネル３０２は、日光を自動で追従するべく、自動で回動されてもよい。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８４】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８５】
１０  太陽、２０  吸気流、３０  排気流、１００  空調システム、２００  空調室外機、２０２  筐体、２０４  底面、２０６  上面、２０８  側面、２１０  熱交換部、２１２  電力供給部、２１３  電源接続部、２１４  吸気口、２１６  排気口、２１７  排気ファン、２１９  給気ファン、２２２  温度センサ、２２７  排気ファン駆動部、２２９  給気ファン駆動部、２３０  ミスト供給部、２３２  配管、２３４  ノズル、２３６  ミスト駆動部、２５０  可動部、２５２  支持プレート、２８０  空調室内機、３００  太陽光発電装置、３０２  太陽光パネル、３０４  発電部、３０６  蓄電部、３０８  電力供給部、４００  架台、４０２  支持板、４０４  脚部、４０５  支柱、４０６  可動部、４０８  側面部材、４０９  土台、４１０  排気遮蔽部材収納部、４１２  脚、４１４  脚、４２０  排気遮蔽部材、４２１  支持板、４２２  一端、４２３  他端、４２４  ワイヤー、４２５  ワイヤー固定具、４２６  穴部、４２８  マグネット、４３０  伸縮部、４３２  ヒンジ機構、４３３  支持機構、４３４  支持機構、４４０  固定部、４４２  伸縮機構、４４４  スプリング、４５２  穴部、４５４  リング、４８０  室外機台、５００  吸気冷却システム、５０２  冷却用プレート、５０４  冷媒用パイプ、５０６  冷媒用ポンプ、５０８  熱交換器、５１０  井戸水用パイプ、５１２  井戸水用ポンプ、５１４  採水用井戸、５１６  還水用井戸、５２０  換気システム、５２２  吸気口、５２４  排気口、５２６  換気用ポンプ、５２８  換気用パイプ、５３０  電力線、６００  電気設備、６０２  電力受給部、６０４  電力供給部、６１０  機器室、６１２  機器
【図１】
2015124939.tif 000003
【図２】
2015124939.tif 000004
【図３】
2015124939.tif 000005
【図４】
2015124939.tif 000006
【図５】
2015124939.tif 000007
【図６】
2015124939.tif 000008
【図７】
2015124939.tif 000009
【図８】
2015124939.tif 000010
【図９】
2015124939.tif 000011
【図１０】
2015124939.tif 000012
【図１１】
2015124939.tif 000013